(57)【要約】【課題】巻取芯の拡大，縮小を可能としてウエブ巻取時は拡大して巻取りを行い、巻取終了後は縮小して引き抜いて巻取芯のない巻取ロールを得ると共に巻取時における衝撃を少なくする。【解決手段】ウエブを外周に巻取る巻取芯として弾性を保有し、拡縮可能な可撓性シート材により端部を一部重合せしめた筒形状１に形成すると共に、重合部における巻取芯外周切断部を３〜１５°の角度θをもって斜めになるように形成した。可撓性シート材としてはバネ鋼シートまたはプラスチック材シートが用いられる。【選択図】    図２
0003128937.tif 000002
【実用新案登録請求の範囲】
【請求項１】
ウエブを外周に巻取る巻取芯であって、該巻取芯は弾性を保有し、拡縮可能な可撓性シート材により端部を一部重合せしめた筒形状に形成されていると共に、重合部における巻取芯外周切断部が３〜１５°の角度をもって斜めに形成されていることを特徴とするウエブ巻取芯。
【請求項２】
可撓性シート材がバネ鋼シートまたはプラスチック材シートである請求項１記載のウエブ巻取芯。
【考案の詳細な説明】
【技術分野】
【０００１】
本考案はウエブの巻取りに際し、その外周にウエブを巻取る巻取芯に関するものである。
【背景技術】
【０００２】
従来のウエブ巻取りにおいて、送り出されてくるウエブを外周に巻取る巻取芯は通常、紙管，プラスチック等のように予め中空円筒状に成形されたものであり、その筒径寸法は拡縮されないため、この巻取芯にウエブ等を巻取ると、巻き取った後は巻取芯のみ取り外すことは出来なかった。
【０００３】
そのため、このような巻取芯を含んで巻き上がった巻取ロールからウエブを巻き戻す時には、使い切った後は中空円筒状の巻取芯が不要物として残り、この巻取芯がたとえ紙管であっても簡単に廃棄することはできず、また再利用するにも手間と費用がかかってしまう問題があった。しかも、近年、環境問題，省資源の傾向が高まり、コストダウンの必要性もあってウエブの巻取後に巻取芯をなくすことが求められて来た。
【０００４】
そこで、近時、これに対処すべく巻取時は巻取芯の働きをし、巻き終えた後は巻取ロールから引き抜かれ、巻取ロールを巻芯なしの状態にすると共に、引き抜いた巻取芯は次の巻取ロールの巻取芯に繰り返し使用できるようにした巻取芯が提案されている。（例えば特許文献１参照）
【特許文献１】特開平１０−３３８３９４号公報
【考案の開示】
【考案が解決しようとする課題】
【０００５】
しかし、上記提案に係る巻取芯は単に板ばねを一部重合させて筒状に形成させているだけであるため、外周重合部に横一線に段差が生じ、これが巻取時に衝撃を生じさせる結果を招いていた。
【０００６】
そこで本考案はこのような衝撃に対処し、特に巻取芯の外周切断部を所要の角度で斜めに形成することを見出し、上記衝撃を少なくすることを目的とするものである。
【課題を解決するための手段】
【０００７】
即ち、上記目的に適合する本考案は、ウエブを外周に巻取る巻取芯として弾性を保有し、拡縮可能な可撓性シート材により筒端部を一部重合せしめた筒形状に形成すると共に、重合部における巻取芯外周切断部を３〜１５°の角度をもって斜めに形成したことを特徴とする。なお、可撓性シート材としてはバネ鋼シートまたはプラスチック材シートが用いられる。
【考案の効果】
【０００８】
本考案は以上のように弾性を保有し、拡縮可能な可撓性シート材で形成した巻取芯であり、弾性を保有して拡縮可能であるため、巻取機に装備して、テーパーコーン状ボスを両端より押し込み、又は退去させることによって巻取芯の拡大，縮小が可能かつ容易となり、ウエブ巻取時は巻取芯の役目を果たして巻取りを可能ならしめ、巻取り、巻取り後は引き抜かれて巻取芯のない巻取ロールとして取り外すことができ、巻取り、巻取後の夫々に適応した作用をもたせてウエブの巻取りを効率よく行なわせることができると共に、巻取芯外周切断部は斜めに角度をもって形成されるため、巻取時において段差部が斜めに移行し、巻取時の衝撃を少なくすることができ、しかも引き抜き後の巻取芯は次に巻取芯として繰り返し使用が出来、環境問題，省資源，コスト低減に対応する巻取芯として頗る実用性に富む効果を有している。
【考案を実施するための最良の形態】
【０００９】
以下、更に添付図面を参照して本考案の具体的な構成態様を説明する。
【００１０】
図２は図１に示すウエブＷの巻取り用巻取芯１として用いられる本考案に係る巻取芯の例であり、該巻取芯１はバネ鋼シート，プラスチック材シート等の弾性を保有し拡縮可能な可撓性シート材により形成されており、円筒状に巻き、巻端部を一部重合せしめて筒形状に成形されていて、図１に示すように送り出されてくるウエブＷをその外周に巻き取っている。この場合、拡縮可能とは、筒状に形成された前記巻取芯が筒径方向に拡大，縮小可能であることであり、従って、可撓性シート材はこれに見合う弾性を保有することが肝要である。
【００１１】
そして、上記の如き巻取芯１は、従来図２（イ）に示す如く一部を重合させただけの円筒形状が一般的であったが、特に本考案にあっては図２（ロ）に示すように巻取芯１の外周切断部を角度θをもつ斜めとして重合せしめ巻取時の衝撃が少なくなるように形成している。この場合、斜めの角度θは３〜１５°くらいが好適である。
【００１２】
図３は上記の如き本考案巻取芯１を用いてウエブＷの巻取りを行う場合の作動を示し、（イ）においては本考案に係る前記巻取芯１が内径ｄをもってウエブ巻取位置に保持され、巻取芯１の内径ｄより稍大きい外径ｄ´をもつテーパーコーン状ボス２が押し込まれる前状態が示されている。
【００１３】
そして、（ロ）は上記（イ）の状態より進み、テーパーコーン状ボス２がその外径ｄ´をもって巻取芯１の内径ｄを拡大しつつ押し込まれている状態であり、巻芯径の内径がテーパーコーン状ボスｄ´まで拡大されると、巻取芯１は巻取りの準備が完了する。
【００１４】
そこで、（ハ）に示す如く送られてくるウエブＷを通常の如く巻取芯外周に巻取り、所要の巻取りを行う。この間、テーパーコーン状ボス２は巻取芯１両端に押し込まれた状態で巻取芯１を支持している。
【００１５】
かくして所要のウエブの巻取りが完了すると、巻取芯１の両端に押し込まれたテーパーコーン状ボス２が夫々、巻取芯１の両端よりはずれ、退去する。このとき、巻取芯１はその弾性により径が縮小し、巻取芯１の外周に巻取ったウエブロールとの間に隙間を生じ、巻取芯１をウエブ巻取ロールより容易に引き抜くことが可能となる。従って巻取芯１の引き抜きと共にウエブ巻取ロールは巻取芯を有しない巻取ロールとして取り出される。
【図面の簡単な説明】
【００１６】
【図１】ウエブ巻取りの態様を示す概要図である。
【図２】巻取芯の例で、（イ）は通常の一部を重合した既知の円筒形状例、（ロ）は本考案に係る切断部を斜めに切断した円筒形状例である。
【図３】本考案巻取芯を用いた巻取りの実施態様を示す図で、（イ）は巻取芯にテーパーコーン状ボス押し込み前、（ロ）は同ボス押し込み時、（ハ）はボスを押し込み、ウエブを巻き取っている時、（ニ）は巻取り完了後、上記ボスを引き抜き巻取芯の径を縮小させた状態を夫々示す。
【符号の説明】
【００１７】
Ｗ：ウエブ
１：巻取芯
２：テーパーコーン状ボス
【図１】
0003128937.tif 000003
【図２】
0003128937.tif 000004
【図３】
0003128937.tif 000005